(57)【要約】【課題】安定した画像露光を行う。【解決手段】画像露光装置１は、光源（ＬＥＤ）を駆動する光源駆動回路３２を搭載した光源部３０をドラム４０の回転軸と平行な副走査方向Ｂに移動させながら、主走査方向Ａに回転駆動するドラム４０に巻きつけられた記録媒体Ｐ１に対してＬＥＤから発生させた光ビームを照射して繰り返し露光することにより画像を形成する。【選択図】　　　図１
2004017634.tif 000002
【特許請求の範囲】
【請求項１】
複数のＬＥＤによって複数チャンネルを構成する光源部を備える画像露光装置であって、
前記各ＬＥＤを駆動する光源駆動回路と、
画像露光時に前記光源部を走査する走査手段と、
を備え、前記光源駆動回路が前記光源部に搭載されていることを特徴とする画像露光装置。
【請求項２】
複数のＬＥＤによって複数チャンネルを構成する光源部を備える画像露光装置であって、
前記各チャンネルが複数のＬＥＤによって構成されるとともに、
前記各ＬＥＤを駆動する駆動電流をチャンネル単位で制御する光源駆動回路を備えることを特徴とする画像露光装置。
【請求項３】
複数のＬＥＤによって複数チャンネルを構成する光源部を備える画像露光装置であって、
前記各チャンネルが複数のＬＥＤによって構成されるとともに、
前記各ＬＥＤの光量をチャンネル単位で測定する光量測定機構と、
前記各ＬＥＤの駆動をチャンネル単位で制御する光源駆動回路と、
を備えることを特徴とする画像露光装置。
【請求項４】
複数のＬＥＤによって複数チャンネルを構成する光源部を備える画像露光装置であって、
前記各ＬＥＤを駆動する駆動電流を制御する光源駆動回路を備え、
前記光源部と前記光源駆動回路間の距離Ｌが
Ｌ≦（ｃ／１００ｆ）／２
ｃ：光速，ｆ：画素周波数（Ｈｚ）
であることを特徴とする画像露光装置。
【請求項５】
前記各チャンネルが複数のＬＥＤによって構成される請求項１又は４に記載の画像露光装置であって、
前記光源駆動回路が前記各ＬＥＤの駆動をチャンネル単位で制御するとともに、
前記各ＬＥＤの光量をチャンネル単位で測定する光量測定機構を備えることを特徴とする画像露光装置。
【請求項６】
請求項１，３又は５に記載の画像露光装置であって、
前記光源駆動回路は、前記各ＬＥＤを駆動する駆動電流を制御することを特徴とする画像露光装置。
【発明の詳細な説明】
【０００１】
【発明の属する技術分野】
本発明は、光ビームを照射して画像を形成する画像露光装置に関する。
【０００２】
【従来の技術】
光源から発生させた光ビームを感光材等の記録媒体の露光面に照射して露光することにより画像を形成する画像露光装置が知られている。このような画像露光装置には、例えば、実際に印刷装置で印刷する前に、印刷用の画像データに基づいて、校正用のカラープルーフを出力するための装置等がある。
【０００３】
図５に、従来の画像露光装置１００の概略構成を示す。画像露光装置１００は、ＬＥＤ（発光ダイオード）やＬＤ（半導体レーザ）等の発光素子で構成される光源、ミラー及びレンズ等で構成される光源部１１０を備え、当該光源部１１０を矢印Ｂで示すドラム１２０の回転軸と平行な副走査方向に移動させながら、矢印Ａで示す主走査方向に回転駆動するドラム１２０に巻きつけられた記録媒体Ｐ１００に対して光源から発生させた光ビームを照射して繰り返し露光することにより画像を形成する。
【０００４】
また、電装ボックス１３０には、電源、画像露光装置１００の各機能部を駆動する駆動部、画像露光装置１００の各機能部の動作を制御する制御部等が格納される。特に、電装ボックス１３０には、光源を駆動するための光源駆動回路１３２が内蔵され、当該光源駆動回路１３２と光源部１１０とがケーブル接続される。このように、光源駆動回路１３２と光源部１１０とを分離することにより、副走査方向Ｂに駆動制御される光源部１１０の小型化及び軽量化を実現している。
【０００５】
ここで、図６を参照して、光源駆動回路１３２による光源の駆動制御方式について説明する。同図（ａ）に電圧一定制御方式を、（ｂ）に光量一定制御方式（以下、「ＡＰＣ制御方式」という。）、（ｃ）に電流一定制御方式（以下、「ＡＣＣ制御方式」という。）をそれぞれ示す。
【０００６】
（ａ）に示す電圧一定制御方式は、電圧値が一定になるように制御することにより、光源１５０から発生させる光ビームの光量を一定に保つ制御方式である。また、（ｂ），（ｃ）に示すＡＰＣ制御方式及びＡＣＣ制御方式は何れもフィードバック（以下、「ＦＢ」という。）制御回路であり、一般に、ＬＤを光源とした場合にＡＰＣ制御方式、ＬＥＤを光源とした場合にＡＣＣ制御方式で光源が駆動制御される。具体的には、（ｂ）に示すＡＰＣ制御方式は、光源１５２からのレーザ光が受光可能な位置に設置されたフォトセンサ等の受光部１５４で受光したレーザ光の光量と基準光量とを比較して誤差を補正する制御方式である。また、（ｃ）に示すＡＣＣ制御方式は、ＬＥＤ１５６を発光させた際の電流値と基準電流値とを比較して誤差を補正する制御方式である。
【０００７】
光量測定機構１４０は、光源からの光ビームの光量を測定する機能部であり、画像露光装置１００の制御系（露光制御部）は、画像形成時に最適な光量で露光するため、光量測定機構１４０において露光前に測定された測定光量に基づいて、光源からの光ビームの光量をＦＢ制御する。
【０００８】
また最近の画像露光装置として、光源として安価なＬＥＤを用い、光源部１１０の所定位置の副走査方向Ｂに複数チャンネル配設することで、画像形成速度を高速化したものがある。例えば、１つのチャンネルが１画素に対応する場合には、一度の走査でチャンネル数分の画素の露光を可能とするものである。また、ドラムの回転速度を上げることで、画像形成速度の更なる高速化が可能である。しかし、主走査方向の画像形成速度を高速化すると、発光時間を十分に確保できない。この発光時間の問題は、光源がＬＥＤであるため光量の不足に直結する。このため、１チャンネルを複数のＬＥＤで構成し、多重露光によって所望の光量を確保する方法が考案されている。
【０００９】
【発明が解決しようとする課題】
ところで、上述した光源にＬＥＤを用いた画像露光装置には、以下のような問題があった。即ち、第１に、画像露光装置の大型化や露光サイズの大型化等に伴い、ＬＥＤと光源駆動回路１３２とを接続する配線長が長くなり、光源駆動回路１３２から出力される光源駆動信号に対するＬＥＤの応答の遅延や、応答波形のなまり等の問題が発生し、出力画像データの画質低下の原因となっていた。また、ＬＥＤ数に応じて配線数が増加するため、外乱や相互干渉等による影響を受けやすくなるという問題があった。
【００１０】
第２に、光源駆動回路１３２が上述したＡＣＣ制御方式でＬＥＤを駆動する場合には、ＬＥＤと光源駆動回路１３２とを接続する配線長が長くなる程、ＦＢ信号に遅れが生じる。このため、制御遅延が肥大化し、光源駆動回路１３２の状態が不安定になり、その結果ＬＥＤの駆動電流値が一定値に収束せずに発振してしまい、安定した光量の出力を行えなくなる場合があった。また、ＬＥＤや光源駆動回路１３２の破損につながる可能性があった。
【００１１】
また、光源駆動回路１３２が上述したＡＣＣ制御方式でＬＥＤを駆動する場合には、通常、各ＬＥＤを駆動制御するための光源駆動回路をそれぞれ必要とする。このため、光源駆動回路１３２の回路規模が大きくなってしまうという問題があった。
【００１２】
第３に、光源を複数のＬＥＤで構成する場合には、光量測定機構１４０は、各ＬＥＤで発生させた光量を別個に測定する必要がある。このため、光量の測定時間がＬＥＤの数に応じて増大し、生産性が低下するという問題があった。さらに、ＬＥＤ数分の光量測定値を保持するためのメモリ容量を確保する必要がある。また、当該ＬＥＤ数分の光量測定値のデータ処理に係る時間がＬＥＤ数に応じて増大するという問題点があった。
【００１３】
本発明は、上述した従来の事情に鑑みて為されたものであり、安定した画像露光を行うことを目的とする。
【００１４】
【課題を解決するための手段】
以上の課題を解決するため、請求項１記載の発明は、複数のＬＥＤによって複数チャンネルを構成する光源部を備える画像露光装置であって、
前記各ＬＥＤを駆動する光源駆動回路と、
画像露光時に前記光源部を走査する走査手段と、
を備え、前記光源駆動回路が前記光源部に搭載されていることを特徴としている。
【００１５】
この請求項１記載の発明によれば、光源部に、当該光源部を構成する各ＬＥＤを駆動するための光源駆動回路が搭載されるので、ＬＥＤと光源駆動回路とを接続する配線長を短くすることができる。従って、光源駆動回路から出力される光源駆動信号に対するＬＥＤの応答の遅延や、応答波形のなまりを防止し、当該画像露光装置における出力画像の画質を維持することができる。また、ＬＥＤ数に応じて配線数が増加したことによる外乱や相互干渉の影響を取り除くことができる。
【００１６】
また、請求項２記載の発明は、複数のＬＥＤによって複数チャンネルを構成する光源部を備える画像露光装置であって、
前記各チャンネルが複数のＬＥＤによって構成されるとともに、
前記各ＬＥＤを駆動する駆動電流をチャンネル単位で制御する光源駆動回路を備えることを特徴としている。
【００１７】
この請求項２記載の発明によれば、各ＬＥＤの駆動電流をチャンネル単位で制御するので、当該チャンネルを構成するＬＥＤの数に関係なく、各ＬＥＤに対する光量を制御することができる。従って、各ＬＥＤの駆動電流を制御する光源駆動回路をＬＥＤ毎に備える必要がないので、光源駆動回路の回路規模を縮小することができる。
【００１８】
そして、請求項３記載の発明は、複数のＬＥＤによって複数チャンネルを構成する光源部を備える画像露光装置であって、
前記各チャンネルが複数のＬＥＤによって構成されるとともに、
前記各ＬＥＤの光量をチャンネル単位で測定する光量測定機構と、
前記各ＬＥＤの駆動をチャンネル単位で制御する光源駆動回路と、
を備えることを特徴としている。
【００１９】
この請求項３記載の発明によれば、各チャンネルを構成するＬＥＤの光量の総量を測定し、当該測定値に基づいて、各ＬＥＤの駆動電流をチャンネル単位で制御する。従って、光量の測定に要する時間を短縮することができる。また、画像露光装置において、各チャンネルを構成するＬＥＤの光量の総量のみ保持すればよいため、メモリ容量を軽減できるとともに、データ数が減るので、データ処理に係る時間を短縮できる。
【００２０】
さらに、請求項４記載の発明は、複数のＬＥＤによって複数チャンネルを構成する光源部を備える画像露光装置であって、
前記各ＬＥＤを駆動する駆動電流を制御する光源駆動回路を備え、
前記光源部と前記光源駆動回路間の距離Ｌが
Ｌ≦（ｃ／１００ｆ）／２
ｃ：光速，ｆ：画素周波数（Ｈｚ）
であることを特徴としている。
【００２１】
この請求項４記載の発明によれば、出力画像の画質を維持するとともに、安定した光源の駆動制御を行うことが可能な配線長とすることができる。
【００２２】
また、請求項５記載の発明は、前記各チャンネルが複数のＬＥＤによって構成される請求項１又は４に記載の画像露光装置であって、
前記光源駆動回路が前記各ＬＥＤの駆動をチャンネル単位で制御するとともに、
前記各ＬＥＤの光量をチャンネル単位で測定する光量測定機構を備えることを特徴としている。
【００２３】
この請求項５記載の発明によれば、光源部を構成する各ＬＥＤと光源駆動回路との距離を十分短くすることにより出力画像データの画質の維持等を図るとともに、チャンネル毎に、当該チャンネルを構成するＬＥＤの光量の総量を測定し、当該測定値に基づいて、各ＬＥＤの駆動電流をチャンネル単位で制御することができる。従って、光量の測定に要する時間を短縮することができる。また、画像露光装置において、各チャンネルを構成するＬＥＤの光量の総量のみ保持すればよいため、メモリ容量を軽減できるとともに、データ数が減るので、データ処理に係る時間を短縮できる。
【００２４】
そして、請求項６記載の発明は、請求項１，３又は５に記載の画像露光装置であって、
前記光源駆動回路は、前記各ＬＥＤを駆動する駆動電流を制御することを特徴としている。
【００２５】
この請求項６記載の発明によれば、ＡＣＣ制御方式により、各ＬＥＤの駆動電流の安定した制御を行うことができる。
【００２６】
【発明の実施の形態】
以下、図を参照して、本発明の実施の形態について詳細に説明する。
【００２７】
〔第１の実施の形態〕
先ず、本発明を適用した第１の実施の形態について説明する。図１に、本第１の実施の形態における画像露光装置１の概略構成図を示す。同図において、画像露光装置１は、電装ボックス１０、光量測定機構２０、光源部３０、ドラム４０等から構成される。
【００２８】
電装ボックス１０は、電源、記録媒体の搬送制御装置、画像データに対応した光ビームの出力信号を生成する画像処理装置、記憶装置、画像露光装置の各機能部の動作を制御する制御部等が内蔵する。
【００２９】
光量測定機構２０は、例えば、画像形成前等の所定のタイミングで、光源から照射される光ビームの光量を測定して露光制御部（図示略）に出力する。露光制御部は、光量の変動による画質の低下を防止するため、光源からの光ビームの光量が所望の光量値となるようにＦＢ制御する機能部である。この露光制御部は、光量測定機構２０から入力された光量測定値に基づいて、当該所望の光量値を得るための信号レベルを決定する。
【００３０】
光源部３０は、光源、ミラー及びレンズ等から構成され、副走査方向Ｂへ移動可能に設置される。特に、本第１の実施の形態の特徴として、光源部３０は、ＬＥＤを駆動するための光源駆動回路３２を搭載している。光源部３０の所定位置には、複数のチャンネルが副走査方向Ｂに配設され、画像露光装置１における画像形成速度の高速化を実現している。具体的には、光源部３０は、副走査方向Ｂに移動しながら、各ＬＥＤから発生させる光ビームの光量を画像データに基づいて変更するとともに、当該光ビームをミラーやレンズ等を介してドラム４０に巻きつけられた記録媒体Ｐ１に照射することにより画像を形成する。
【００３１】
図２は、ＬＥＤ５０と、当該ＬＥＤ５０を駆動制御する光源駆動制御回路３２との距離について説明するための図である。同図に示すように、ＬＥＤ５０と光源駆動回路３２とが配線部５２を介して接続されている。本第１の実施の形態においては、光源駆動回路３２が光源部３０に搭載される。このため、図２に示すＬＥＤ５０と光源駆動回路３２とを接続している配線部５２の長さを非常に短くすることができる。
【００３２】
ところで、ＬＥＤ５０と光源駆動回路３２間を接続する配線長Ｌは、配線部５２の誘電率に関わらず、以下の式（１）に基づいて算出することができる。
Ｌ≦（ｃ／１００ｆ）／２　　・・・（１）
ｃ：光速，ｆ：画素周波数（Ｈｚ）
【００３３】
即ち、ＬＥＤと光源駆動回路３２との配線長Ｌは、光量の立ち上がり速度を確保するための係数“１０”、ＦＢ制御の安定性を保持するための係数“１０”、光速、画素周波数に基づいて決定することができる。
【００３４】
より具体的には、先ず、ＦＢ制御を行う場合には、ＦＢ信号の遅延が画素周波数の１／１０以下でないと、信号遅延によるいわゆるなまりが発生して、所定の光量を確保できなくなってしまうため、ＬＥＤと光源駆動回路３２とを接続する配線長をｃ／１０ｆ以下にする必要がある。さらに、ＦＢ応答速度がその１０倍以上でないと、ＦＢ制御回路が不安定になる場合がある。尚、これらの具体的な数値は一般的な経験則として知られている値である。
【００３５】
例えば、画素周波数ｆが１ＭＨｚであった場合には、
Ｌ≦｛３００００００００（ｍ／ｓｅｃ）÷（１００×１００００００（Ｈｚ））｝÷２であるため、Ｌ≦１．５、即ちＬＥＤと光源駆動回路３２とを接続する配線長を１．５ｍ以下にする必要がある。
【００３６】
即ち、画像形成速度の高速化を実現するためには、画素周波数を上げることはもとより、式（１）からも明らかな通りに、配線長を短くする点も重要な問題であることを示している。
【００３７】
ＬＥＤと光源駆動回路３２との配線長を、式（１）に基づいて算出した配線長Ｌ以下にした場合には、安定したＦＢ制御が実現できるため、画像形成速度の高速化を可能とするとともに、出力画像の画質を維持できる。
【００３８】
尚、本第１の実施の形態においては、光源駆動回路３２を光源部３０に搭載しているため、配線長の問題を生じ難くすることができる。但し、ＬＥＤと光源駆動回路３２との配線長が上述した式（１）以下となるようにそれぞれの配置位置を決定することが可能であれば、光源駆動回路３２を光源部３２から分離しても良いことは勿論である。
【００３９】
以上説明したように、本実施の形態によれば、光源部３０に、各ＬＥＤを駆動するための光源駆動回路３２が搭載されるので、ＬＥＤと光源駆動回路とを接続する配線長を短くすることができる。これによれば、光源駆動回路３２から出力される光源駆動信号に対するＬＥＤの応答の遅延や、応答波形のなまり等による、出力画像におけるドットの欠落を防止することができる。従って、当該画像露光装置１における出力画像の画質を維持することができる。また、ＬＥＤ数に応じて配線数が増加したことによる外乱や相互干渉の影響を取り除くことができる。
【００４０】
〔第２の実施の形態〕
次に、本発明を適用した第２の実施の形態について説明する。尚、第２の実施の形態における画像露光装置の構成は、第１の実施の形態において図１に示した画像露光装置１の構成と略同様であり、以下、同一の構成要素には同一の符号を付してその説明を省略する。
【００４１】
本第２の実施の形態は、１チャンネルを複数のＬＥＤで構成して多重露光する際に、当該複数のＬＥＤの駆動をチャンネル単位でＡＣＣ制御方式により制御するものである。
【００４２】
図３は、多重露光を説明するための図である。同図に示すように、同一のチャンネル６２を構成する各ＬＥＤ６２ａ，６２ｂ，６２ｃの発光タイミングと記録媒体Ｐ１０の搬送とを同期させて、各ＬＥＤ６２ａ，６２ｂ，６２ｃにおいて発生させた光ビームを記録媒体Ｐ１０の同一個所Ｓ１に照射することにより、所望の光量を確保する。尚、１チャンネルを構成するＬＥＤから同時に光ビームを発生させ、ミラーなどにより記録媒体の同一個所に照射することとしてもよい。
【００４３】
また、本第２の実施の形態において、光源駆動回路３２は、各ＬＥＤをＡＣＣ制御方式で駆動制御する。また、光源駆動回路３２は、光源部３０内に搭載されるので、ＦＢ信号の遅れ等によるＬＥＤの駆動電流値の発振を生じることなく、光源駆動回路３２の状態を安定状態に保つことができる。
【００４４】
次に、図４を参照して、本第２の実施の形態における光源駆動回路３２のＡＣＣ制御方式について説明する。同図において、ＬＥＤ７４ａ，７４ｂ，７４ｃが並列に接続され、１つのチャンネル７４が形成されている。光源駆動回路３２は、この３つのＬＥＤに流れる合計の電流値をＦＢ制御する。即ち、３つのＬＥＤから構成されるチャンネル７４全体としての制御を行う。このため、各ＬＥＤ７４ａ，７４ｂ，７４ｃに流れる電流値が不均一になるおそれがあるが、合計が一定になるように制御される。この結果、多重露光される１つの画素に対する画質を一定に保つことができる。
【００４５】
通常、ＬＥＤをＡＣＣ制御方式で駆動制御するためには、各ＬＥＤの光量を均一に制御するために、ＬＥＤ毎に光源駆動回路を必要とする。ところが、各チャンネルを複数のＬＥＤで構成する場合には、所望の光量を得るための駆動電流は、該当するチャンネルを構成するＬＥＤの数に関わらず、チャンネル単位で決定すれば十分である。また、チャンネル単位でのＬＥＤの駆動制御は、ＬＥＤ毎に個別に駆動制御した場合と略同程度の安定性で光量制御が可能である。従って、各ＬＥＤを駆動する駆動電流を制御する光源駆動回路をＬＥＤ毎にそれぞれ備える必要がなく、光源駆動回路３２全体の回路規模を縮小することができる。
【００４６】
さらに、各チャンネル毎の画像データを記憶・保持できれば良いため、各ＬＥＤを駆動するための画像データ量の１／ｎ（ｎは１チャンネル当たりのＬＥＤ数）となり、メモリ容量の削減、処理の高速化を図ることができる。
【００４７】
〔第３の実施の形態〕
次に、本発明を適用した第３の実施の形態について説明する。尚、第３の実施の形態における画像露光装置の構成は、第１の実施の形態において図１に示した画像露光装置１の構成と略同様であり、以下、同一の構成要素には同一の符号を付してその説明を省略する。
【００４８】
本第３の実施の形態は、１チャンネルを複数のＬＥＤで構成する際に、光量測定機構２０がチャンネル単位で光量の測定を行うものである。
【００４９】
通常、光量測定機構２０は、光源を構成するＬＥＤから発生される光ビームの光量をそれぞれ測定する。しかし、この光量測定機構２０は、露光する際の所望の光量となる信号レベルを決定するものである。一方、各チャンネルを複数のＬＥＤで構成する場合には、該当するチャンネルを構成するＬＥＤの数に関わらず、当該チャンネルを構成するＬＥＤの光量の総量に基づいて各ＬＥＤの駆動電流を制御すれば十分である（第２の実施の形態参照）。即ち、光量測定機構２０も、各ＬＥＤの光量を測定する必要はなく、当該チャンネルを構成するＬＥＤの光量の総量を測定すれば十分である。
【００５０】
本第３の実施の形態は、光量測定機構２０による光量測定の際に、チャンネル毎に、当該チャンネルを構成する全ＬＥＤを点灯させ、当該全ＬＥＤの光量を光量測定機構２０が測定する。そして、光量測定機構２０が測定した光量に基づいて、各チャンネルに対する信号レベル（駆動電流値）を補正・決定する。
【００５１】
これによれば、光量測定機構２０における光量の測定に要する時間を短縮することができる。また、画像露光装置１において、各チャンネルを構成するＬＥＤの光量の総量（測定値）のみ保持すればよいため、データ量及びメモリ容量を削減できるとともに、データ処理に係る時間を短縮できる。
【００５２】
尚、第１〜第３の実施の形態例を個別に説明したが、全ての実施の形態を適用した画像露光装置や何れか２つの実施の形態例を組み合わせた画像露光装置を実現してもよい。即ち、例えば、１チャンネルを複数のＬＥＤで構成する場合に、光源駆動回路を光源部に搭載する等、各ＬＥＤと光源駆動回路との配線長Ｌが式（１）を満たすような画像露光装置の所定の位置に光源駆動回路を設置し、当該光源駆動回路による光源の駆動をＡＣＣ制御方式により制御するとともに、光量測定機構がチャンネル単位で光量の測定を行うように画像露光装置を構成してもよい。
【００５３】
【発明の効果】
本発明によれば、光源部に、当該光源部を構成する各ＬＥＤを駆動するための光源駆動回路が搭載されるので、ＬＥＤと光源駆動回路とを接続する配線長を短くすることができる。従って、光源駆動回路から出力される光源駆動信号に対するＬＥＤの応答の遅延や、応答波形のなまりを防止し、当該画像露光装置における出力画像の画質を維持することができる。また、ＬＥＤ数に応じて配線数が増加したことによる外乱や相互干渉の影響を取り除くことができる。
【００５４】
また、各ＬＥＤの駆動電流をチャンネル単位で制御するので、当該チャンネルを構成するＬＥＤの数に関係なく、各ＬＥＤに対する光量を制御することができる。従って、各ＬＥＤの駆動電流を制御する光源駆動回路をＬＥＤ毎に備える必要がないので、光源駆動回路の回路規模を縮小することができる。
【００５５】
また、各チャンネルを構成するＬＥＤの光量の総量を測定し、当該測定値に基づいて、各ＬＥＤの駆動電流をチャンネル単位で制御する。従って、光量の測定に要する時間を短縮することができる。また、画像露光装置において、各チャンネルを構成するＬＥＤの光量の総量のみ保持すればよいため、メモリ容量を軽減できるとともに、データ数が減るので、データ処理に係る時間を短縮できる。
【００５６】
また、出力画像の画質を維持するとともに、安定した光源の駆動制御を行うことが可能な配線長とすることができる。
【００５７】
そして、光源部を構成する各ＬＥＤと光源駆動回路との距離を十分短くすることにより出力画像データの画質の維持等を図るとともに、チャンネル毎に、当該チャンネルを構成するＬＥＤの光量の総量を測定し、当該測定値に基づいて、各ＬＥＤの駆動電流をチャンネル単位で制御することができる。従って、光量の測定に要する時間を短縮することができる。また、画像露光装置において、各チャンネルを構成するＬＥＤの光量の総量のみ保持すればよいため、メモリ容量を軽減できるとともに、データ数が減るので、データ処理に係る時間を短縮できる。
【図面の簡単な説明】
【図１】第１の実施の形態における画像露光装置の概略構成図である。
【図２】ＬＥＤと、当該ＬＥＤを駆動制御する光源駆動制御回路との距離について説明するための図である。
【図３】多重露光を説明するための図である。
【図４】第２の実施の形態におけるＡＣＣ制御方式を用いた光源の駆動制御方式を示す図である。
【図５】従来の画像露光装置の概略構成図である。
【図６】光源駆動回路による光源の駆動制御方式を示し、（ａ）電圧一定制御方式、（ｂ）ＡＰＣ制御方式、（ｃ）ＡＣＣ制御方式をそれぞれ示す図である。
【符号の説明】
１　　　　画像露光装置
１０　　電装ボックス
２０　　光量測定機構
３０　　光源部
３２　光源駆動回路
４０　　ドラム
Ｐ１　　　記録媒体
【図１】
2004017634.tif 000003
【図２】
2004017634.tif 000004
【図３】
2004017634.tif 000005
【図４】
2004017634.tif 000006
【図５】
2004017634.tif 000007
【図６】
2004017634.tif 000008